(57)【特許請求の範囲】
【請求項１】
磁気回路とボイスコイルとを含む複数のエキサイターと、これらエキサイターによって励振される平板状の振動板とを備えた振動モード（ＤＭ）方式のパネル型スピーカであって、
前記振動板は、剛性の大きなコア層と、このコア層の表面と裏面のそれぞれに形成される表面側表皮層と裏面側表皮層とから成ることと、
前記コア層は、適宜な幅にわたって厚み方向に一部又は全部が除去されることにより形成される分割帯によって複数の領域に分割され、これらコア層の分割された複数の領域のそれぞれの裏面側表皮層に前記複数のエキサイターのそれぞれが取付けられたことと、
少なくとも表面側の表皮層は前記コア層の分割された複数の領域にわたって連続していることと、
を特徴とするパネル型スピーカ。
【請求項２】
請求項１において、
前記裏面側表皮層は、前記コア層の分割された領域のそれぞれに対応する複数の領域に分割されたことを特徴とするパネル型スピーカ。
【請求項３】
請求項１または２のいずれかにおいて、
前記コア層は、ハネカム構造を呈することを特徴とするパネル型スピーカ。
【発明の詳細な説明】
【０００１】
【発明の属する技術分野】
本発明は、パネル型スピーカに関するものであり、特に、マルチチャンネルのスピーカに適したパネル型スピーカに関するものである。
【０００２】
【従来の技術】
本出願人の先願に係わる特願平９ー５９８８９号には、パネル型スピーカが開示されている。このパネル型スピーカは、磁気回路とボイスコイルとから構成されるエキサイターと、このエキサイターによって励振される振動板とを備えている。このパネル型スピーカは、従来のスピーカのように振動板が剛体として前後に並進運動を行うのではなく、振動板が撓み振動を行う。このことから、このパネル型スピーカは、ＤＭ（ Distributed Mode ) 方式のスピーカ、あるいは、振動モード方式の平面スピーカとも称されている。
【０００３】
また、本出願人の先願に係わる特願平１０ー１５０６４１号には、振動板の中にエキサイターを埋め込んで固定した両面型のパネル型スピーカが開示されている。同じく、本出願人の先願に係わる特願平１０ー１５０６４２号には、振動板を立て看板などの表示用パネルと兼用したパネル型スピーカが開示されている。
【０００４】
映画館などでは、プラスチック板などで構成されるスクリーンに直径数ｍｍ程度の小孔を無数に形成し、このスクリーンに裏側に中央、左、右などの３チャンネルスピーカを配置し、音があたかもスクリーンから発せられたかのような音響効果を奏させる音響システムが開発されている。
【０００５】
【発明が解決しようとする課題】
上記映画館などのスクリーンは、その裏側から表側に音を通過させるための小孔が形成されているので、画質が劣化するという問題がある。また、スクリーンの裏側にスピーカを配置するための空間が必要になる。
【０００６】
【課題を解決するための手段】
本発明のパネル型スピーカは、磁気回路とボイスコイルとを含む複数のエキサイターと、これらエキサイターによって励振される平板状の振動板とを備えた振動モード（ＤＭ）方式のパネル型スピーカである。そして、このスピーカの振動板は、剛性の大きなコア層と、このコア層の表面と裏面のそれぞれに形成される表面側表皮層と裏面側表皮層とから成り、上記コア層は適宜な幅にわたって厚み方向に一部又は全部が除去されることにより形成される分割帯によって複数の領域に分割され、これらコア層の分割された複数の領域のそれぞれの裏面側表皮層に上記複数のエキサイターのそれぞれが取付けられると共に、少なくとも表面側の表皮層は上記コア層の分割された複数の領域にわたって連続している。
【０００７】
【発明の実施の形態】
本発明の好適な実施の形態によれば、上記振動板の裏面側表皮層は、そのコア層と同一の複数の領域に分割されている。
【０００８】
本発明の他の好適な実施の形態によれば、上記振動板のコア層は、ハネカム構造を呈している。
【０００９】
【実施例】
図１は、本発明の一実施例に係わるパネル型スピーカの振動板の構成を示す透視裏面図（Ａ）と、部分拡大断面図（Ｂ）である。この振動板は、部分拡大断面図（Ｂ）に示すように、剛性の大きなコア層１と、このコア層１の表面側に形成される表面側表皮層２と、コア層１の裏面側に形成される裏面側表皮層３とから構成されている。コア層１と表皮層２，３は、いずれも強化プラスチック（ＦＲＰ）などを素材としており、各層１，２，３は適宜な接着剤によって相互に固着されている。コア層１は、実際には六角形のハネカム構造を呈しているが、図示の便宜上、透視裏面図に示されるように、４角形で図示されている。
【００１０】
この振動板は、裏面側の表皮層３を透かして見た透視裏面図（Ａ）に示すように、中央部分ａ，左上部分ｂ（表面側から見て）、左下部分ｃ、右下部分ｄ及び右上部分ｅの５個の領域に分割されている。各領域は、部分拡大断面図（Ｂ）に示すように、剛性の大きなコア層１が適宜な幅にわたって厚み方向の一部分が除去された分割帯Ｓによって、複数の領域に分割されている。裏面側の表皮層３も分割帯Ｓの幅にわたって除去されている。
【００１１】
５個の領域ａ〜ｅの裏面側表皮層の中央部分には、図示しない５個のエキサイターが接着剤層を介して取付けられる。各エキサイターにより、各領域の振動板が励振され、音が発生される。各領域に生じた音響は、各領域の境界部分に形成された分割帯Ｓにおいて剛性の大きなコア層１の厚み方向の一部が除去されているため、この領域内を伝播してきた振動、特に高周波の振動成分は分割帯Ｓ内を通して隣接の他の領域には伝播しない。すなわち、５個のほぼ独立なパネル型スピーカが形成される。
【００１２】
表面側の表皮層２の表面には、この表皮層２を映画用のスクリーンとして使用するための適宜な塗料が塗布され、映画館やホームシアター用のスクリーンとして使用される。
【００１３】
以上、分割帯Ｓではコア層の厚み方向の一部のみを除去する構成を示した。しかしながら、分割帯Ｓではコア層の厚み方向の全部を除去する構成とすることもできる。裏面側の表皮層３もコア層１と共に除去する構成を例示した。しかしながら、剛性の大きなコア層１のみを除去し、剛性の小さな表面側の表皮層２と裏面側の表皮層３とを連続させる構成とすることもできる。
【００１４】
【発明の効果】
以上詳細に説明したように、本発明のパネル型スピーカは、振動板が複数に分割された剛性の大きなコア層と、このコア層の表面と裏面のそれぞれに形成される表面側表皮層と裏面側表皮層とから成り、これらコア層の分割された複数の領域のそれぞれの裏面側表皮層にエキサイタが取付けられることにより、それぞれが独立のスピーカとして動作するように構成されると共に、少なくとも表面側の表皮層はスクリーンの画質を向上させるためにコア層が分割された複数の領域にわたって連続している構成であるから、映画館のスクリーンなどに兼用する場合、画質が劣化することがない。また、スクリーンの裏側に個別のスピーカを配置するための空間が不要になるという利点もある。
【図面の簡単な説明】
【図１】本発明の一実施例に係わるパネル型スピーカの振動板の構成を示す透視裏面図（Ａ）と部分拡大断面図（Ｂ）である。
【符号の説明】
１      コア層
２      表面側表皮層
３      裏面側表皮層
a 〜e   互いに分割された５個の領域
Ｓ      分割帯
【図１】
0003892159.tif 000002